(57)【要約】【課題】蓄電池モジュールの収納スペースを筐体本体の大きさに対する高い比率で確保しながら十分な耐震強度を有する蓄電装置用筐体を提供する。【解決手段】蓄電装置用筐体１は、側面板２０、枠状板３６、枠側板４０、後面板２３及び後側板４２の下端部を、底面部１２の底側板３３ａ〜３３ｄに固定し、上端部を、天面部１６の天側板２２ａ〜２２ｄに固定し、側面板２０の前端縁部を、枠側板４０に固定し、後端縁部を後側板４２に固定し、各棚板３１の前端縁、左右の各端縁及び後端縁を、枠状板３６、各側面板２０及び後面板２３に固定し、前面板５を、枠状板３６に設けられたボルト孔を介して、枠状板３６を挟みつつ前面側の底側板３３ａ及び天側板２２ａ、並びに各棚板３１の前端縁にボルトで着脱自在に取り付けて構成される。【選択図】図２
2015230863.tif 000002
【特許請求の範囲】
【請求項１】
複数の蓄電池モジュールと、該蓄電池モジュールの充放電を制御する制御機器とが収納される複数の収納区画を有する筐体本体を備えた蓄電装置用筐体であって、
前記収納区画として、前記蓄電池モジュールが上下方向に複数段に分けて収納される複数段の第１収納区画と、最上段の該第１収納区画の上に隣接して前記制御機器が収納される第２収納区画とが設けられ、
前記筐体本体は、その底面、前面、後面、左右の側面、及び天面をそれぞれ構成する底面部、前面部、後面部、左右の側面部及び天面部を備え、
前記底面部は、前記底面を形成する底板と、該底板の四辺の各端縁から上方に立設された４つの底側板とを有して一体の箱状に形成されたものであり、
前記前面部は、各収納区画に対応する部分が開口した枠状板と、該枠状板の左右両端縁から後方に向けて立設された左右の枠側板と、該枠状板の前面を覆う前面板とを備え、
前記後面部は、前記筐体本体の後面を閉塞する後面板と、該後面板の左右両端縁から前方に向けて立設された左右の後側板とを備え、
前記側面部は、前記左右の側面をそれぞれ閉塞する左右の側面板を備え、
前記天面部は、前記天面を形成する天板と、該天板の四辺の各端縁から下方に向けて立設された４つの天側板とを有して一体の箱状に形成されたものであり、
各収納区画の底面は棚板により形成され、
各側面板、前記枠状板、各枠側板、前記後面板及び各後側板は、それぞれの下端部が、対応する前記底側板に固定され、それぞれの上端部が、対応する前記天側板に固定され、
各側面板は、前端縁部が、対応する前記枠側板に固定され、後端縁部が、対応する前記後側板に固定され、
各棚板は、前端縁、左右の各端縁及び後端縁がそれぞれ前記枠状板、各側面板及び前記後面板に固定され、
前記前面板は、前記枠状板に設けられたボルト孔を介して、該枠状板を挟みつつ前面側の前記底側板及び前記天側板、並びに各棚板の前端縁にボルトで着脱自在に取り付けられることを特徴とする蓄電装置用筐体。
【請求項２】
前記側面部は、前記側面板の前端縁部及び後端縁部をそれぞれ内側にＣ字型に折り曲げて形成されたＣ型曲折部を有し、該前端縁部のＣ型曲折部における前記前面部の枠状板に平行な部分は該枠状板に固定され、該後端縁部のＣ型曲折部における前記後面部の後面板に平行な部分は該後面板に固定され、前記前面板は、該前端縁部のＣ型曲折部における該枠状板に平行な部分に対し、該枠状板に設けられたボルト孔を介して、該枠状板を挟みつつ着脱自在に取り付けられることを特徴とする請求項１に記載の蓄電装置用筐体。
【請求項３】
各側面板、前記枠状板、各枠側板、前記後面板及び各後側板の前記底側板及び前記天側板に対する固定、各側面板の前記枠側板及び前記後側板に対する固定、各棚板の前記枠状板、各側面板及び前記後面板に対する固定は、ボルト又はリベットにより行われることを特徴とする請求項１又は２に記載の蓄電装置用筐体。
【請求項４】
前記天面部の天板には、最上段の前記第２収納区画に収納されて前記制御機器を構成するトランスからの熱を逃がすための第１通風口が設けられることを特徴とする請求項１〜３のいずれか１項に記載の蓄電装置用筐体。
【請求項５】
前記天板及び前記前面板には、最上段の前記第２収納区画に収納されて前記制御機器を構成する充電器の冷却用のファンにより冷却用の空気を流通させるための第２通風口及び第３通風口がそれぞれ設けられ、
前記最上段の第２収納区画には、前記ファンにより、前記第２通風口と前記第３通風口との間で、前記充電器の冷却用の空気を流通させるための通風ガイドが設けられることを特徴とする請求項１〜４のいずれか１項に記載の蓄電装置用筐体。
【発明の詳細な説明】
【技術分野】
【０００１】
本発明は、複数の蓄電池モジュール及びこれらの充放電を制御する制御機器が収納される蓄電装置用筐体に関する。
【背景技術】
【０００２】
従来、複数の蓄電池モジュールを収納する蓄電装置用筐体として、前面が開口した直方体状の小筐体の前端部及び後端部に、長方形状の補強枠を設け、この小筐体を複数段重ね、上下に隣接する補強枠相互を固定して構成される筐体が知られている（例えば、特許文献１参照）。
【０００３】
この筐体の左右の側面及び後面は外装板で覆われ、前面には扉が設けられる。また、この筐体の最上部の小筐体には、その小筐体から上方に延びた端末端子を保護するための直方体状の端末端子保護筐体が設けられる。
【０００４】
左右の外装板及び後面の外装板の下端部は、その下端部に設けられた凸部を、床板の対応する嵌合孔に嵌合させることにより、該床板に固定される。また、左右の外装板の上端部は、端末端子保護筐体の下端部にビス止めされる。また、後面の外装板における左右の両端縁は、各小筐体の補強枠にビス止めされる。
【０００５】
一方、電子機器ユニットを収納する筐体として、台座上に支持された矩形状の底板と、底板から上方に延びた左右の側板と、底板及び側板に接続された背面扉と、前面に設けられた前面扉とを備えたものが知られている（例えば、特許文献２参照）。
【０００６】
この筐体では、底板は、隣接する２辺のうちの一方がＣ字状に内側に折り曲げられた第１補強構造を有し、他方がクランク状（Ｌ字状）に折り曲げられた第２補強構造を有する。また、側板には、その下端縁部において、Ｃ字状に内側に折り曲げられた第３補強構造が設けられ、該下端縁部に隣接して上下方向に延びる端縁部において、Ｃ字状に内側に折り曲げられた第４補強構造が設けられる。
【０００７】
そして、底板の第２補強構造に側板の第３補強構造を重ね、かつ底板の第１補強構造に側板の第４補強構造が直交するように底板と側板を組み合わせ、Ｌ字型のコーナー金具を第１補強構造と、第４補強構造さらには第２補強構造及び第３補強構造とにリベット等で固定することにより、底板と側板とが連結される。
【先行技術文献】
【特許文献】
【０００８】
【特許文献１】特許第３５３２４３６号公報
【特許文献２】特許第３４８０１１９号公報
【発明の概要】
【発明が解決しようとする課題】
【０００９】
しかしながら、上記特許文献１の蓄電装置用筐体によれば、前端部及び後端部に補強枠が設けられた小筐体を複数積み重ね、さらにその外側を外装板で覆うようにしているので、筐体全体の大きさに対し、蓄電池モジュールが収納される区画のスペースが小さい。また、上下に隣接する小筐体は、相互に隣接する補強枠の両端部をボルト締めで固定するのみであり、左右の外装板には固定されない。このため、十分な耐震強度を有する蓄電装置用筐体を得るのは困難である。
【００１０】
また、上記特許文献２の筐体によれば、底板及び左右の側板は、第１〜第４補強構造によりパネル自体は補強されるが、Ｌ字型のコーナー金具により連結されているだけである。また、筐体の前面及び後面は扉となっている。したがって、この場合も、十分な耐震強度を有する筐体を得るのは困難である。
【００１１】
本発明の目的は、かかる従来技術の課題に鑑み、蓄電池モジュールの収納スペースを筐体の大きさに対する高い比率で確保しながら十分な耐震強度を有する蓄電装置用筐体を提供することにある。
【課題を解決するための手段】
【００１２】
本発明の蓄電装置用筐体は、複数の蓄電池モジュールと、該蓄電池モジュールの充放電を制御する制御機器とが収納される複数の収納区画を有する筐体本体を備えた蓄電装置用筐体であって、前記収納区画として、前記蓄電池モジュールが上下方向に複数段に分けて収納される複数段の第１収納区画と、最上段の該第１収納区画の上に隣接して前記制御機器が収納される第２収納区画とが設けられ、前記筐体本体は、その底面、前面、後面、左右の側面、及び天面をそれぞれ構成する底面部、前面部、後面部、左右の側面部及び天面部を備え、前記底面部は、前記底面を形成する底板と、該底板の四辺の各端縁から上方に立設された４つの底側板とを有して一体の箱状に形成されたものであり、前記前面部は、各収納区画に対応する部分が開口した枠状板と、該枠状板の左右両端縁から後方に向けて立設された左右の枠側板と、該枠状板の前面を覆う前面板とを備え、前記後面部は、前記筐体本体の後面を閉塞する後面板と、該後面板の左右両端縁から前方に向けて立設された左右の後側板とを備え、前記側面部は、前記左右の側面をそれぞれ閉塞する左右の側面板を備え、前記天面部は、前記天面を形成する天板と、該天板の四辺の各端縁から下方に向けて立設された４つの天側板とを有して一体の箱状に形成されたものであり、各収納区画の底面は棚板により形成され、各側面板、前記枠状板、各枠側板、前記後面板及び各後側板は、それぞれの下端部が、対応する前記底側板に固定され、それぞれの上端部が、対応する前記天側板に固定され、各側面板は、前端縁部が、対応する前記枠側板に固定され、後端縁部が、対応する前記後側板に固定され、各棚板は、前端縁、左右の各端縁及び後端縁がそれぞれ前記枠状板、各側面板及び前記後面板に固定され、前記前面板は、前記枠状板に設けられたボルト孔を介して、該枠状板を挟みつつ前面側の前記底側板及び前記天側板、並びに各棚板の前端縁にボルトで着脱自在に取り付けられることを特徴とする。
【００１３】
本発明では、蓄電池モジュールやその充放電を制御する制御機器の各収納区画への収納やメンテナンスに際しては、前面部の前面板が取り外され、各収納区画に対するアクセスが確保される。蓄電装置の稼働時には、前面板がボルトで取り付けられ、前面部及びこれに接続する部分が補強された状態となる。
【００１４】
各側面板、枠状板、各枠側板、後面板及び各後側板の底側板及び天側板に対する固定、各側面板の対応する枠側板及び後側板に対する固定、各棚板の枠状板、各側面板及び後面板に対する固定は、例えば、多数のボルトやリベットにより行われる。このように、前面板の取付けや各部の固定部がなされた状態では、筐体本体は、底面部、前面部、後面部、側面部、天面部及び棚板により上記のように構成されるので、高い耐震強度を有する。
【００１５】
また、底面部、前面部、後面部、側面部、天面部及び棚板を構成する部材は、すべて「板」であるため、Ｌ形鋼等のフレーム材を組み合わせてフレーム構造の筐体とする場合に比べて、収納区画内に突出する部分が無い。このため、蓄電池モジュールの収納スペースを、筐体の大きさに対する高い比率で確保することができる。また、前面板が着脱自在に取り付けられるので、高い耐震強度を確保しつつ、各収納区画に容易にアクセスすることができる。
【００１６】
本発明において、前記側面部は、前記側面板の前端縁部及び後端縁部をそれぞれ内側にＣ字型に折り曲げて形成されたＣ型曲折部を有し、該前端縁部のＣ型曲折部における前記前面部の枠状板に平行な部分は該枠状板に固定され、該後端縁部のＣ型曲折部における前記後面部の後面板に平行な部分は該後面板に固定され、前記前面板は、該前端縁部のＣ型曲折部における該枠状板に平行な部分に対し、該枠状板に設けられたボルト孔を介して、該枠状板を挟みつつ着脱自在に取り付けられてもよい。
【００１７】
これによれば、Ｃ型曲折部により断面二次モーメント（撓み難さ）が高められた側面板が、Ｃ型曲折部を介して枠状板、後面板及び前面板にも直接固定されるので、筐体本体の剛性をさらに向上させ、耐震強度を高めることができる。
【００１８】
本発明において、各側面板、前記枠状板、各枠側板、前記後面板及び各後側板の前記底側板及び前記天側板に対する固定、各側面板の前記枠側板及び前記後側板に対する固定、各棚板の前記枠状板、各側面板及び前記後面板に対する固定は、ボルト又はリベットにより行われてもよい。
【００１９】
これによれば、各側面部、枠状板と各枠側板、後面部、底面部、天面部及び棚板を、分離された状態で容易に搬送し、蓄電装置の設置場所において、蓄電装置用筐体を、ボルトやリベットを用い、十分な耐震強度を有するものとして組み立てることができる。
【００２０】
本発明において、前記天面部の天板には、最上段の前記第２収納区画に収納されて前記制御機器を構成するトランスからの熱を逃がすための第１通風口が設けられてもよい。
【００２１】
これによれば、制御機器を構成するトランスを最上段の第２収納区画に収納してトランスが発する熱により他の機器に悪影響が及ぶのを防止しつつ、トランスが発する熱を効率的に筐体本体の外部に排出することができる。
【００２２】
本発明において、前記天板及び前記前面板には、最上段の前記第２収納区画に収納されて前記制御機器を構成する充電器の冷却用のファンにより冷却用の空気を流通させるための第２通風口及び第３通風口がそれぞれ設けられ、前記最上段の第２収納区画には、前記ファンにより、前記第２通風口と前記第３通風口との間で、前記充電器の冷却用の空気を流通させるための通風ガイドが設けられてもよい。
【００２３】
これによれば、制御機器を構成する充電器を最上段の第２収納区画に収納して充電器のファンからの熱を含む空気により他の機器に悪影響が及ぶのを防止しつつ、該空気を効率的に筐体本体の外部に排出することができる。したがって、充電器に十分な冷却用の空気を流通させ、充電器を適切に冷却することができる。
【図面の簡単な説明】
【００２４】
【図１】本発明の一実施形態に係る蓄電装置用筐体について、蓄電池モジュール等を実装し、かつ化粧パネル、前面扉及び前面板を外した状態を示す斜視図である。
【図２】図１の蓄電装置用筐体の分解斜視図である。
【図３】図１の蓄電装置用筐体の底面部の斜視図である。
【図４】図１の蓄電装置用筐体の側面部の斜視図である。
【図５】図１の蓄電装置用筐体の前面部の前面枠の斜視図である。
【図６】（ａ）は、図１の蓄電装置用筐体の前面部の上部前面板の斜視図であり、（ｂ）は、該前面部の下部前面板の正面図である。
【図７】図１の蓄電装置用筐体の後面部の斜視図である。
【図８】（ａ）は、図１の蓄電装置用筐体の筐体本体にトランス及び充電器を実装した様子を、後面部を外した状態で示す斜視図であり、（ｂ）は、充電器を通る冷却用の空気の流れを示す図である。
【発明を実施するための形態】
【００２５】
以下、図面を用いて本発明の実施形態を説明する。図１に示すように、実施形態の蓄電装置用筐体１は、複数の蓄電池モジュール２と、蓄電池モジュール２に対する充放電を制御する制御機器とが収納される複数の収納区画３を有する筐体本体４を備える。ただし、図１では、後述の前面板５や前面扉６（図２参照）等を取り外した状態の筐体本体４が示されている。
【００２６】
充放電を制御する制御機器としては、ここでは、トランス７、充電器８、及びこれらを制御する制御ユニット９が該当する。収納区画３としては、蓄電池モジュール２が上下方向に複数段に分けて収納される複数段の第１収納区画１０と、最上段の第１収納区画１０の上に隣接して制御機器が収納される１又は複数段の第２収納区画１１とが設けられる。
【００２７】
ここでは、６段の第１収納区画１０が設けられる。また、第２収納区画１１として、最上段の第１収納区画１０の上に隣接して制御ユニット９が収納される１段の第２収納区画１１と、その上に隣接してトランス７及び充電器８が収納されるもう１段の第２収納区画１１とが設けられる。
【００２８】
図２に示すように、筐体本体４は、その底面、前面、後面、左右の側面、及び天面をそれぞれ構成する底面部１２、前面部１３、後面部１４、左右の側面部１５、及び天面部１６を備える。各側面部１５の外側には、上下に分かれた２枚の化粧パネル１７が設けられる。
【００２９】
前面部１３は、各収納区画３に対応する部分が開口した前面枠１８と、前面枠１８を補強する前面板５とを備える。前面板５は、上部前面板５ａと、下部前面板５ｂとで構成され、前面枠１８の前面全体を覆うように前面枠１８を挟んで底面部１２、左右の側面部１５及び天面部１６に対して着脱自在に取り付けられる。前面部１３の前面枠１８には、前面板５全体を覆う前面扉６が、ヒンジを介して開閉自在に設けられる。
【００３０】
底面部１２は、筐体本体４を設置する場所の床に設けられた十分な強度を有するチャンネルベース（耐震架台）１９上に固定される。左右の側面部１５は、左右の側面全体をそれぞれ閉塞する左右の側面板２０を備える。
【００３１】
天面部１６は、筐体本体４の天面を形成する天板２１と、天板２１の四辺の各端縁から下方に向けて立設された４つの天側板２２ａ〜２２ｄとを有して一体の箱状に形成されたものである。各天側板２２ａ〜２２ｄには、前面板５、各側面板２０及び後述の後面板２３の上端縁部をボルトで締結するためのタップ孔２４（図８（ａ）参照）が設けられる。
【００３２】
天板２１には、トランス７からの熱を逃がすための第１通風口２５と、充電器８上の端子台への接続を行うための端子用開口２６が設けられる。天板２１及び前面板５には、充電器８の冷却用のファンにより冷却用の空気を流通させるための第２通風口２７及び第３通風口２８ａがそれぞれ設けられる。
【００３３】
前面扉６の第３通風口２８ａに対応する位置には、第４通風口２８ｂが設けられる。天板２１には、第１通風口２５及び第２通風口２７を覆う通風口カバー２９と、端子用開口２６を覆う端子台カバー３０とが設けられる。
【００３４】
各収納区画３の底面は、棚板３１により構成される。各棚板３１の前端縁は、前面枠１８に固定されるとともに、前面枠１８を挟んで前面板５に固定される。各棚板３１の左右の端縁及び後端縁は、各側面板２０及び後面板２３に固定される。
【００３５】
図３に示すように、底面部１２は、筐体本体４の底面を形成する底板３２と、底板３２の四辺の各端縁から上方に立設された４つの底側板３３ａ〜３３ｄとを有して一体の箱状に形成されたものである。底板３２には、その四辺に沿って、底板３２をチャンネルベース１９上にボルトで締結するためのボルト孔３４が設けられる。また、各底側板３３ａ〜３３ｄには、前面板５、各側面板２０及び後面板２３の下端部を各底側板３３ａ〜３３ｄにボルトでそれぞれ締結するためのタップ孔２４が設けられる。
【００３６】
底面部１２は、筐体本体４の基礎となる部分であり、特に高い強度が必要とされる。したがって、例えば、底板３２は、厚さが２５［ｍｍ］の鋼板で形成され、各底側板３３ａ〜３３ｄは、厚さが６［ｍｍ］の鋼板で形成される。左右及び後面側の底側板３３ｂ〜３３ｄは、前面側の底側板３３ａよりも高く形成され、側面板２０及び後面板２３と結合した場合における結合部分の剛性の向上が図られる。
【００３７】
底板３２及び各底側板３３ａ〜３３ｄの隣接する各辺の接合は、例えば、溶接長さが２０［ｍｍ］で溶接ピッチが５０［ｍｍ］のすみ肉溶接で各辺の外側及び内側から溶接を行って角継手を形成することにより行われる。
【００３８】
図４に示すように、側面部１５は、側面板２０の前端縁及び後端縁に沿って内側にＣ型に折り曲げられたＣ型曲折部３５ａ及び３５ｂを有する。前端縁側のＣ型曲折部３５ａにおける後述の枠状板３６（図５参照）に平行な部分の外側には、枠状板３６がボルトで締結される。この締結のために、該平行な部分の内側には、図示していない溶接ナットが設けられる。なお、図４では、側面板２０の内側の面が表示されている。
【００３９】
後端縁側のＣ型曲折部３５ｂにおける後述の後面板２３（図７参照）に平行な部分の外側には、後面板２３がボルトで締結される。この締結のために、該平行な部分の内側には図示していない溶接ナットが設けられる。
【００４０】
なお、各側面部１５の上端から所定の範囲においては、Ｃ型曲折部３５ａ及び３５ｂが形成されておらず、Ｃ型曲折部３５ａ及び３５ｂの代わりに、Ｌ字状に内側に折り曲げられたＬ型曲折部３７ａ及び３７ｂがそれぞれ設けられる。Ｌ型曲折部３７ａ及び３７ｂは、Ｃ型曲折部３５ａ及び３５ｂの枠状板３６又は後面板２３と平行な部分と同様に、枠状板３６及び後面板２３にボルトで締結される。この締結のために、各側面部１５の前端縁側及び後端縁側のＬ型曲折部３７ａ及び３７ｂの内側に、それぞれ溶接ナット３８及び３９が設けられる。
【００４１】
各側面板２０の前端縁に沿った部分の内側には、該部分を後述する枠側板４０（図５参照）にボルトで締結するための溶接ナット４１が設けられる。各側面板２０の後端縁に沿った部分には、該部分を後述する後側板４２（図７参照）にボルトで締結するための溶接ナット４３が設けられる。
【００４２】
また、各側面板２０の下端縁部には、底面部１２の対応する底側板３３ｂ又は３３ｃ（図３参照）に該下端縁部をボルトで締結するためのボルト孔４４が設けられる。各側面板２０の上端縁部には、天面部１６の対応する天側板２２ｂ又は２２ｃ（図２参照）に該上端縁部をボルトで締結するためのボルト孔４５が設けられる。また、各側面板２０の各棚板３１に対応する部分には、該部分を棚板３１にボルトで締結するためのボルト孔４６が設けられる。
【００４３】
図５に示すように、前面部１３（図２参照）の前面枠１８は、各収納区画３に対応する部分が開口した枠状板３６と、枠状板３６の左右両端縁から後方に向けて立設された左右の枠側板４０とで構成される。枠状板３６は、矩形の四辺を構成する枠状の部分である枠部４７と、枠部４７の左右両辺の間に桟状に渡された複数の桟部４８とで構成される。
【００４４】
各桟部４８の位置は、各第１収納区画１０及び第２収納区画１１の底面を構成する棚板３１の位置に対応しており、各桟部４８には、対応する棚板３１の前端縁が固定される。各桟部４８には、この固定をボルトで行うためのボルト孔４９が設けられる。また、各桟部４８は、これに対応する棚板３１の前端縁と前面板５（図２参照）との間に挟まれ、前面板５側から挿入されて該前端縁に螺合するボルトにより固定される。各桟部４８には、このボルトが通るボルト孔５０が設けられる。
【００４５】
枠部４７の底辺に該当する部分、すなわち枠状板３６の下端縁部には、該下端縁部を底面部１２（図３参照）の前面側の底側板３３ａにボルトで固定するためのボルト孔５１と、該下端縁部を底側板３３ａと前面板５との間に挟んで底側板３３ａに固定するためのボルト孔５２が設けられる。
【００４６】
枠部４７の左右の各辺に該当する部分、すなわち枠状板３６の左右の端縁部には、該端縁部を、対応する側面板２０のＣ型曲折部３５ａの枠部４７に平行な部分及びＬ型曲折部３７ａにボルトで締結するためのボルト孔５３と、該端縁部をＣ型曲折部３５ａ及びＬ型曲折部３７ａと前面板５との間に挟んでＣ型曲折部３５ａ及びＬ型曲折部３７ａに固定するためのボルト孔５４が設けられる。
【００４７】
また、枠部４７の上辺に該当する部分、すなわち枠状板３６の上端縁部には、該上端縁部を天面部１６の前面側の天側板２２ａに締結するためのボルト孔５５と、該上端縁部を天側板２２ａと前面板５との間に挟んで天側板２２ａに固定するためのボルト孔５６が設けられる。
【００４８】
前面枠１８の各枠側板４０には、その下端部に、該下端部を、底面部１２の対応する底側板３３ｂ又は３３ｃにボルトで固定するためのボルト孔５７が設けられる。また、各枠側板４０の各棚板３１に対応する位置には、これらを相互に固定するためのボルト孔５８が設けられる。また、各枠側板４０には、対応する側面板２０の前端縁部にその枠側板４０をボルトで締結するためのボルト孔５９が設けられる。また、各枠側板４０の上端部には、該上端部を、天面部１６の対応する天側板２２ｂ又は２２ｃにボルトで固定するためのボルト孔６０が設けられる。
【００４９】
前面板５の上部前面板５ａは、２つの第２収納区画１１に対応する枠状板３６（図５参照）の部分を覆うように、該部分を挟んで天面部１６及び左右の側面部１５に着脱自在に取り付けられる。下部前面板５ｂは、６つの第１収納区画１０に対応する枠状板３６の部分を覆うように、該部分を挟んで底面部１２及び左右の側面部１５に着脱自在に取り付けられる。
【００５０】
図６（ａ）に示すように、上部前面板５ａには、上部前面板５ａを、天面部１６の前面側の天側板２２ａと、側面板２０のＣ型曲折部３５ａの対応部分及びＬ型曲折部３７ａと、各第２収納区画１１の底面を構成する棚板３１とにボルトで締結するためのボルト孔６２が設けられる。
【００５１】
図６（ｂ）に示すように、下部前面板５ｂには、下部前面板５ｂを、底面部１２の前面側の底側板３３ａと、側面板２０のＣ型曲折部３５ａの対応部分と、各第１収納区画１０の底面を構成する棚板３１とにボルトで締結するためのボルト孔６３が設けられる。
【００５２】
また、上部前面板５ａ及び下部前面板５ｂには、枠状板３６を底面部１２、天面部１６、側面部１５及び棚板３１に締結するボルトの頭部との干渉を回避する回避孔６４が設けられる。下部前面板５ｂにおける上端縁部及び下端縁部のボルト孔６３及び回避孔６４は、端縁側が開放されたＵ字状の孔として形成される。
【００５３】
上部前面板５ａの下端縁部は、段差を有して前面側に張り出しており、その下側に、下部前面板５ｂの上端縁部が重ねられる。そして、該下端縁部及び上端縁部は、共通のボルトにより、上から２番目の棚板３１の前端縁部に固定される。したがって、上部前面板５ａのみを取り外して、トランス７、充電器８、又は制御ユニット９に対して容易にアクセスすることができる。また、上部前面板５ａには、上述の第３通風口２８ａの他に、トランス７や、充電器８、制御ユニット９の換気用又はアクセス用の開口６５が設けられる。
【００５４】
図７に示すように、後面部１４は、筐体本体４の後面全体を閉塞する後面板２３と、後面板２３の左右両端縁から前方に向けて立設された左右の後側板４２とを備える。後面板２３の下端縁部には、該下端縁部を、底面部１２の後面側の底側板３３ｄにボルトで締結するためのボルト孔６６が設けられる。また、後面板２３の左端縁部及び右端縁部には、その部分を、側面板２０の後端縁側のＣ型曲折部３５ｂ及びＬ型曲折部３７ｂにボルトで締結するためのボルト孔６７が設けられる。
【００５５】
後面板２３の上端縁部には、該上端縁部を天面部１６の後面側の天側板２２ｄに締結するためのボルト孔６８が設けられる。後面板２３の各棚板３１に対応する位置には、これらを相互に固定するためのボルト孔６９が設けられる。
【００５６】
各後側板４２には、その下端部を底面部１２の対応する底側板３３ｂ又は３３ｃにボルトで締結するためのボルト孔７０と、側面板２０の溶接ナット４３に対応するボルト孔７１と、その後側板４２と各棚板３１とをボルトで締結するためのボルト孔７２と、その後側板４２の上端部を対応する天側板２２ｂ又は２２ｃに締結するためのボルト孔７３とが設けられる。
【００５７】
図８（ａ）に示すように、トランス７及び充電器８を収納する最上段の第２収納区画１１には、充電器８内のファンにより、天板２１の第２通風口２７と前面板５の第３通風口２８ａとの間で、冷却用の空気を流通させるための通風ガイド７４が設けられる。図８（ｂ）に示すように、通風ガイド７４は、充電器８の前端側と後端側とを遮断するように設けられる。
【００５８】
この構成において、筐体本体４を構成する各要素は、筐体本体４を設置する場所に搬送され、ボルト締めにより筐体本体４が構成される。すなわち、まず、筐体本体４を設置する場所の床に設けられた十分な強度を有するチャンネルベース（耐震架台）１９上に、底面部１２が配置される。そして、底面部１２の底板３２の四辺に沿って配列されたボルト孔３４を通してボルトをチャンネルベース１９のタップ孔に螺合させることにより、底面部１２がチャンネルベース１９に締結される。
【００５９】
次に、各側面板２０、前面枠１８、後面部１４及び天面部１６が底面部１２上に取り付けられる。このとき、各側面板２０は、その下端縁部に設けられたボルト孔４４にボルトを挿入し、対応する底面部１２の底側板３３ｂ又は３３ｃのタップ孔２４に螺合させることにより、その底側板３３ｂ又は３３ｃに締結される。
【００６０】
ただし、各側面板２０の下端縁部の前端部は、前面枠１８の対応する枠側板４０と、対応する底側板３３ｂ又は３３ｃの前端部とに挟まれた状態で、底側板３３ｂ又は３３ｃに締結される。また、各側面板２０の下端縁部の後端部は、後面部１４の対応する後側板４２と、対応する底側板３３ｂ又は３３ｃの後端部とに挟まれた状態で、底側板３３ｂ又は３３ｃに締結される。
【００６１】
また、各側面部１５は、その側面板２０の上端縁部に設けられたボルト孔４５にボルトを挿入し、対応する天面部１６の天側板２２ｂ又は２２ｃのタップ孔に螺合させることにより、その天側板２２ｂ又は２２ｃに締結される。
【００６２】
ただし、各側面板２０の上端縁部の前端部は、前面枠１８の対応する枠側板４０と、対応する天側板２２ｂ又は２２ｃの前端部とに挟まれた状態で、天側板２２ｂ又は２２ｃに締結される。また、各側面板２０の上端縁部の後端部は、後面部１４の対応する後側板４２と、対応する天側板２２ｂ又は２２ｃの後端部とに挟まれた状態で、天側板２２ｂ又は２２ｃに締結される。
【００６３】
また、前面枠１８の枠部４７の下端縁部は、該下端縁部に設けられたボルト孔５１にボルトを挿入し、底面部１２における前面側の底側板３３ａのタップ孔２４に螺合させることにより、底側板３３ａに締結される。前面枠１８の枠部４７の上端縁部は、該上端縁部に設けられたボルト孔５６にボルトを挿入し、天面部１６における前面側の天側板２２ａのタップ孔２４に螺合させることにより、天側板２２ａに締結される。
【００６４】
また、前面枠１８の各枠側板４０は、その枠側板４０に設けられたボルト孔５９にボルトを通し、対応する側面板２０の前端縁部に設けられた溶接ナット４１に螺合させることにより、その側面板２０に締結される。
【００６５】
ただし、各枠側板４０の下端部は、対応する側面板２０の下端縁部の前端部を挟んで、これらのボルト孔５７及び４４にボルトを通し、対応する底側板３３ｂ又は３３ｃの前端部のタップ孔２４に螺合させることにより、底側板３３ｂ又は３３ｃに締結される。また、各枠側板４０の上端部は、対応する側面板２０の上端縁部の前端部を挟んで、これらのボルト孔６０及び４５にボルトを通し、対応する天側板２２ｂ又は２２ｃの前端部のタップ孔に螺合させることにより、天側板２２ｂ又は２２ｃに締結される。
【００６６】
また、前面枠１８の枠部４７の左端縁部及び右端縁部は、これらに設けられたボルト孔５３にボルトを通し、側面部１５の対応するＣ型曲折部３５ａの溶接ナット及びＬ型曲折部３７ａの溶接ナット３８に螺合させることにより、そのＣ型曲折部３５ａ及びＬ型曲折部３７ａに締結される。
【００６７】
後面部１４の後面板２３の下端縁部は、それに設けられたボルト孔６６にボルトを挿入し、底面部１２の後面側の底側板３３ｄのタップ孔２４に螺合させることにより、底側板３３ｄに締結される。後面板２３の上端縁部は、それに設けられたボルト孔６８にボルトを挿入し、天面部１６の後面側の天側板２２ｄのタップ孔に螺合させることにより、天側板２２ｄに締結される。
【００６８】
後面板２３の左端縁部及び右端縁部は、これらに設けられたボルト孔６７にボルトを通し、側面部１５のＣ型曲折部３５ｂの溶接ナット及びＬ型曲折部３７ｂの溶接ナット３９に螺合させることにより、そのＣ型曲折部３５ｂ及びＬ型曲折部３７ｂに締結される。
【００６９】
後面部１４の各後側板４２は、各後側板４２に設けられたボルト孔７１にボルトを挿入し、対応する側面部１５の側面板２０の後端縁部に設けられた溶接ナット４３に螺合させることにより、その側面板２０に締結される。
【００７０】
ただし、各後側板４２の下端部は、対応する側面板２０の下端縁部の後端部を挟んで、これらのボルト孔７０及び４４にボルトを通し、対応する底側板３３ｂ又は３３ｃの後端部のタップ孔２４に螺合させることにより、該後端部に締結される。また、各後側板４２の上端部は、対応する側面板２０の上端縁部の後端部を挟んで、これらのボルト孔７３及び４５にボルトを通し、対応する天側板２２ｂ又は２２ｃの後端部のタップ孔に螺合させることにより、該後端部に締結される。
【００７１】
このようにして、各側面板２０、枠状板３６、枠側板４０、後面板２３及び後側板４２は、それぞれの下端部が、対応する底側板３３ａ〜３３ｄに固定され、それぞれの上端部が、対応する天側板２２ａ〜２２ｄに固定される。また、各側面板２０は、前端縁部が、枠側板４０に固定され、後端縁部が、後側板４２に固定され、Ｃ型曲折部３５ａ及び３５ｂ並びにＬ型曲折部３７ａ及び３７ｂが、枠側板４０及び後側板４２に固定される。
【００７２】
この後、棚板３１が取り付けられる。その際、各棚板３１の前端縁は、枠状板３６の対応する桟部４８に対し、その桟部４８のボルト孔４９に挿入され、該前端縁に螺合するボルトにより締結される。各棚板３１の左右の端縁は、各側面板２０に対し、そのボルト孔４６に挿入され、該端縁に螺合するボルトにより締結される。各棚板３１の後端縁は、後面板２３に対し、そのボルト孔６９に挿入され、該後端縁に螺合するボルトにより締結される。
【００７３】
棚板３１の取付けが完了すると、形成された第１収納区画１０及び第２収納区画１１に対する蓄電池モジュール２、制御ユニット９、トランス７及び充電器８の収納や、通風ガイド７４の取付けを行うことができる。また、この間に、必要な配線等を行うことができる。
【００７４】
次に、前面板５が取り付けられる。その際、上部前面板５ａの取付けは、上部前面板５ａに設けられたボルト孔６２及びこれらに対応する枠状板３６のボルト孔５６、５４及び５０にボルトを挿入し、天側板２２ａの対応するタップ孔と、Ｃ型曲折部３５ａの対応する溶接ナット及びＬ型曲折部３７ａの対応する溶接ナット３８と、対応する棚板３１の前端縁とに螺合させることにより行われる。
【００７５】
また、下部前面板５ｂの取付けは、下部前面板５ｂに設けられたボルト孔６３及びこれらに対応する枠状板３６のボルト孔５２、５４及び５０にボルトを挿入し、底側板３３ａの対応するタップ孔２４と、Ｃ型曲折部３５ａの対応する溶接ナットと、対応する棚板３１の前端縁とに螺合させることにより行われる。
【００７６】
この前面板５の取付けにより、枠状板３６が、前面板５と、底側板３３ａ、天側板２２ａ、各棚板３１、Ｃ型曲折部３５ａ及びＬ型曲折部３７ａとの間に挟まれた状態となり、さらにこれらによって強固に固定された状態となる。なお、この取付けにあたって、枠状板３６を底側板３３ａ、天側板２２ａ、各棚板３１、Ｃ型曲折部３５ａ及びＬ型曲折部３７ａに固定しているボルトの頭部と前面板５との干渉は、前面板５の回避孔６４によって回避される。
【００７７】
この後、化粧パネル１７や前面扉６、通風口カバー２９、端子台カバー３０等が取り付けられ、蓄電装置用筐体１が完成する。なお、この間に、蓄電池モジュール２、各制御機器の収納や、必要な配線等を行うことにより、蓄電装置を構成することができる。
【００７８】
蓄電装置の稼働に際しては、図８（ａ）及び（ｂ）のように、トランス７及び充電器８が最上段の第２収納区画１１に収納され、かつ第１〜第４通風口２５、２７、２８ａ、２８ｂ及び通風ガイド７４が設けられているので、トランス７及び充電器８が発する熱が蓄電装置に悪影響を及ぼすおそれはない。
【００７９】
すなわち、トランス７が発する熱は、その真上の第１通風口２５から、対流によって効果的に蓄電装置用筐体１の外部に排出される。したがって、かかる熱の他の機器への伝達が極力抑制される。
【００８０】
また、図８（ｂ）のように、通風ガイド７４は、充電器８の前端側と後端側とを遮断するように設けられている。このため、充電器８内のファンにより、第２通風口２７から充電器８の吸気口８ａを経て充電器８内に導入され、充電器８の前方から吐出される空気Ａは、吸気口８ａに戻ることなく、第３通風口２８ａ及び第４通風口２８ｂ（図２参照）を経て蓄電装置用筐体１の外部に排出される。これにより、充電器８の冷却が効果的に行われる。
【００８１】
以上のように、本実施形態によれば、筐体本体４を、板状の部材で形成される底面部１２、前面部１３、後面部１４、側面部１５、天面部１６及び棚板３１により上記のように構成したので、蓄電池モジュール２等の収納スペースを筐体本体４の大きさに対する高い比率で確保しながら、高い耐震強度を有する蓄電装置用筐体１を実現することができる。
【００８２】
例えば、耐震強度の面では、各部を適切な材料で構成し、各部の固定を十分な数のボルトを用いて行うことにより、前後方向、左右方向のいずれにおいても固有振動数が２０［Ｈｚ］以上の蓄電装置用筐体１を構成することができる。また、前後方向、左右方向のいずれにおいても、２Ｇ（Ｇは重力加速度）の強さで１０［Ｈｚ］の振動を４０秒付与する振動試験を行っても異常が生じない蓄電装置用筐体１を構成することができる。
【００８３】
また、前面部１３を、上記のような前面枠１８及び前面板５で構成したので、蓄電装置の稼働時には、前面板５により十分な耐震強度を確保しつつ、メンテナンス等に際しては、前面板５を取り外して、各収納区画３に対するアクセスを確保することができる。
【００８４】
また、側面部１５のＣ型曲折部３５ａ、３５ｂと前面部１３の枠状板３６及び後面部１４の後面板２３とが固定されるので、筐体本体４の剛性をさらに向上させることができる。また、各部の固定をボルトで行うようにしたので、各部を分離された状態で容易に搬送し、蓄電装置の設置場所において、蓄電装置用筐体１を、容易に組み立てることができる。
【００８５】
また、天面部１６の天板２１に第１通風口２５を設けたので、トランスを最上段の第２収納区画１１に収納してその熱により他の機器に悪影響が及ぶのを防止しつつ、その熱を効率的に蓄電装置用筐体１の外部に排出することができる。
【００８６】
また、天板２１、前面板５及び前面扉６にそれぞれ第２〜第４通風口２７、２８ａ、２８ｂを設け、さらに通風ガイド７４を設けたので、充電器８を最上段の第２収納区画１１に収納して充電器８のファンからの熱を含む空気により他の機器に悪影響が及ぶのを防止しつつ、該空気を効率的に蓄電装置用筐体１の外部に排出することができる。
【００８７】
以上、本発明の実施形態を説明したが、本発明はこれに限定されない。例えば、各部の固定をリベットで行うようにしてもよい。
【符号の説明】
【００８８】
１…蓄電装置用筐体、２…蓄電池モジュール、３…収納区画、４…筐体本体、５…前面板、７…トランス、８…充電器、１０…第１収納区画、１１…第２収納区画、１２…底面部、１３…前面部、１４…後面部、１５…側面部、１６…天面部、２０…側面板、２１…天板、２２ａ〜２２ｄ…天側板、２３…後面板、２５…第１通風口、２７…第２通風口、２８ａ…第３通風口、３１…棚板、３２…底板、３３ａ〜３３ｄ…底側板、３５ａ、３５ｂ…Ｃ型曲折部、３６…枠状板、４０…枠側板、４２…後側板、５０、５２、５４、５６…ボルト孔、７４…通風ガイド。
【図１】
2015230863.tif 000003
【図２】
2015230863.tif 000004
【図３】
2015230863.tif 000005
【図４】
2015230863.tif 000006
【図５】
2015230863.tif 000007
【図６】
2015230863.tif 000008
【図７】
2015230863.tif 000009
【図８】
2015230863.tif 000010